(57)【特許請求の範囲】
【請求項１】
室外機及び室内機で構成される複数の空調機と、上記空調機を運転するリモコンと、上記複数の空調機の運転を集中的に制御する集中コントローラを備えた空気調和システムにおいて、
上記室外機が室外温度を検出し、
上記集中コントローラが、上記室外温度の制限値により上記空調機の運転可否条件を設定し、上記室外機が検出した室外温度と設定した運転可否条件を照合して上記空調機の運転可否を判定し、判定結果に基づく上記リモコンの操作の制限指令又は制限解除指令を上記リモコンに送信して省エネルギー制御を行い、
上記制限指令を受けているリモコンが操作された場合に、上記集中コントローラが省エネルギー制御を緩和して空調機を運転させる制限解除指令を上記リモコンに送信し、
省エネルギー緩和制御を受けていない運転中の他の空調機に対して、上記集中コントローラが省エネルギー制御を強化して運転させる指令を該当のリモコンに送信することを特徴とする空気調和システム。
【請求項２】
室外機及び室内機で構成される複数の空調機と、上記空調機を運転するリモコンと、上記複数の空調機の運転を集中的に制御する集中コントローラを備えた空気調和システムにおいて、
上記室内機が室内温度を検出し、
上記集中コントローラが、上記室内温度の制限値により上記空調機の運転可否条件を設定し、上記室内機が検出した室内温度と設定した運転可否条件を照合して上記空調機の運転可否を判定し、判定結果に基づく上記リモコンの操作の制限指令又は制限解除指令を上記リモコンに送信して省エネルギー制御を行い、
上記制限指令を受けているリモコンが操作された場合に、上記集中コントローラが省エネルギー制御を緩和して空調機を運転させる制限解除指令を上記リモコンに送信し、
省エネルギー緩和制御を受けていない運転中の他の空調機に対して、上記集中コントローラが省エネルギー制御を強化して運転させる指令を該当のリモコンに送信することを特徴とする空気調和システム。
【請求項３】
リモコンにより運転される室外機及び室内機で構成される複数の空調機の運転を集中的に制御する集中コントローラにおいて、
室外温度の制限値又は室内温度の制限値により上記空調機の運転可否条件を設定する運転条件設定手段と、
上記室外機により検出された室外温度又は上記室内機により検出された室内温度と、上記運転条件設定手段により設定された運転可否条件を照合して上記空調機の運転可否を判定し、判定結果に基づく上記リモコンの操作の制限指令又は制限解除指令を上記リモコンに送信して省エネルギー制御を行う運転可否判定手段と、
上記制限指令を受けているリモコンが操作されたことを検知するリモコン操作検知手段と、
上記リモコン操作検知手段により操作が検知されたリモコンに対し、省エネルギー制御を緩和して上記空調機を運転させる制限解除指令を送信する省エネ緩和制御手段とを備え、
上記リモコン操作検知手段がリモコンの運転／停止ボタンが操作されたことを検知した場合、又は全温度帯域における制限指令を受けているリモコンの室温調節ボタンが操作されたことを検知した場合に、
上記省エネ緩和制御手段は省エネルギー制御を緩和して空調機を時限運転させる制限解除指令を送信することを特徴とする集中コントローラ。
【請求項４】
リモコンにより運転される室外機及び室内機で構成される複数の空調機の運転を集中的に制御する集中コントローラにおいて、
室外温度の制限値又は室内温度の制限値により上記空調機の運転可否条件を設定する運転条件設定手段と、
上記室外機により検出された室外温度又は上記室内機により検出された室内温度と、上記運転条件設定手段により設定された運転可否条件を照合して上記空調機の運転可否を判定し、判定結果に基づく上記リモコンの操作の制限指令又は制限解除指令を上記リモコンに送信して省エネルギー制御を行う運転可否判定手段と、
上記制限指令を受けているリモコンが操作されたことを検知するリモコン操作検知手段と、
上記リモコン操作検知手段により操作が検知されたリモコンに対し、省エネルギー制御を緩和して上記空調機を運転させる制限解除指令を送信する省エネ緩和制御手段と、
省エネルギー緩和制御を受けていない運転中の他の空調機に対して、省エネルギー制御を強化して運転させる指令を該当のリモコンに送信する省エネ強化制御手段とを備えたことを特徴とする集中コントローラ。
【請求項５】
リモコンにより運転される室外機及び室内機で構成される複数の空調機の運転を集中的に制御する集中コントローラにおいて、
室外温度の制限値又は室内温度の制限値により上記空調機の運転可否条件を設定する運転条件設定手段と、
上記室外機により検出された室外温度又は上記室内機により検出された室内温度と、上記運転条件設定手段により設定された運転可否条件を照合して上記空調機の運転可否を判定し、判定結果に基づく上記リモコンの操作の制限指令又は制限解除指令を上記リモコンに送信して省エネルギー制御を行う運転可否判定手段と、
制限指令を受けているリモコンが操作されたことを検知するリモコン操作検知手段と、
上記リモコン操作検知手段により操作が検知されたリモコンに対し、省エネルギー制御を緩和して上記空調機を運転させる制限解除指令を送信する省エネ緩和制御手段と、
省エネルギー緩和制御を受けていない運転中の他の空調機に対して、省エネルギー制御を強化して運転させる指令を該当のリモコンに送信する省エネ強化制御手段とを備え、
上記リモコン操作検知手段が全温度帯域における制限指令を受けているリモコンの室温調節ボタンが操作されたことを検知した場合に、
上記省エネ強化制御手段は省エネルギー制御を強化して他の空調機を時限運転させる指令を送信することを特徴とする集中コントローラ。
【発明の詳細な説明】
【０００１】
【発明の属する技術分野】
この発明は、複数の空調機からなる空気調和システム及びこの空気調和システムで使用する集中コントローラに関するものである。
【０００２】
【従来の技術】
図１７は従来の空気調和システムの構成を示すブロック図である。図において、２１０は複数の空調機を集中制御する集中コントローラ、２２０ａ〜２２０ｂは空調機の室外機、２３０ａ〜２３０ｄは空調機の室内機、２４０ａ〜２４０ｃは空調機を運転するためのローカルリモートコントローラであるリモコン、２８０は集中コントローラ２１０、室外機２２０ａ〜２２０ｂ、室内機２３０ａ〜２３０ｄ、リモコン２４０ａ〜２４０ｃを接続する伝送線である。
【０００３】
図１８はリモコン２４０の外観を示す図であり、図において、２４１は運転停止ボタン、運転モードボタン、室温調節ボタン等の操作入力部、２４２は空調機の現在の運転状態・設定状態等を表示する表示部である。
【０００４】
次に動作について説明する。
空調機は、リモコン２４０の操作入力部２４１で設定された情報を伝送線２８０を介して通信コマンドとして得て、その情報を元に空調制御を行う。使用者が空調機を運転／停止させたり、室内の設定温度を変更したい場合には、リモコン２４０の操作入力部２４１内の運転／停止ボタンや室温調節ボタンのアップ（△）／ダウン（▽）を操作することにより希望の運転状態に設定する。
【０００５】
この場合、リモコン２４０の操作に何も制限がなく、使用者による必要以上の空調機の運転や過度な設定温度に調節が可能となってしまい、省エネルギーが実現できない課題がある。これを解消するため、通常、集中コントローラ２１０が併設され、集中コントローラ２１０から各グループのリモコン２４０に対し、操作入力部２４１毎の操作の制限指令を設定することにより、リモコン２４０の操作を制限して省エネルギーを図っている。しかし、この場合には、現在の室温状況等は考慮せずに、一方的に集中コントローラ２１０からリモコン２４０の操作制限を行っているために、使用者の快適性が損なわれる。
【０００６】
また、その他の方法として空調機の電力量を監視し、省エネルギー制御を実施するためのデマンド制御コントローラ（図示せず）を使用することがある。この場合でも、使用する電力量の抑制を優先させる傾向が強く、使用者の快適性が損なわれる傾向がある。
【０００７】
【発明が解決しようとする課題】
従来の空気調和システム及び集中コントローラ２１０は、以上のように構成されているので、集中コントローラ２１０によるリモコン２４０の操作を制限する方法では、省エネルギーを追求する上では有効であるが、空調機の使用者の快適性が損なわれるという課題があった。
【０００８】
また、デマンド制御コントローラを使用時でも、使用する電力量の抑制を優先させて、空調機の停止や送風モード運転への切り替え制御を行うために、使用者の快適性が損なわれるという課題があった。
【０００９】
この発明は上記のような課題を解決するためになされたもので、省エネルギーを実現し使用者の快適性を満足させることができる空気調和システム及び集中コントローラを得ることを目的とする。
【００１０】
【課題を解決するための手段】
この発明に係る空気調和システムは、室外機が室外温度を検出し、集中コントローラが、室外温度の制限値により空調機の運転可否条件を設定し、室外機が検出した室外温度と設定した運転可否条件を照合して空調機の運転可否を判定し、判定結果に基づくリモコンの操作の制限指令又は制限解除指令をリモコンに送信して省エネルギー制御を行い、制限指令を受けているリモコンが操作された場合に、集中コントローラが省エネルギー制御を緩和して空調機を運転させる制限解除指令をリモコンに送信し、省エネルギー緩和制御を受けていない運転中の他の空調機に対して、集中コントローラが省エネルギー制御を強化して運転させる指令を該当のリモコンに送信するものである。
【００１１】
この発明に係る空気調和システムは、室内機が室内温度を検出し、集中コントローラが、室内温度の制限値により空調機の運転可否条件を設定し、室内機が検出した室内温度と設定した運転可否条件を照合して空調機の運転可否を判定し、判定結果に基づくリモコンの操作の制限指令又は制限解除指令をリモコンに送信して省エネルギー制御を行い、制限指令を受けているリモコンが操作された場合に、集中コントローラが省エネルギー制御を緩和して空調機を運転させる制限解除指令をリモコンに送信し、省エネルギー緩和制御を受けていない運転中の他の空調機に対して、集中コントローラが省エネルギー制御を強化して運転させる指令を該当のリモコンに送信するものである。
【００１７】
この発明に係る集中コントローラは、室外温度の制限値又は室内温度の制限値により空調機の運転可否条件を設定する運転条件設定手段と、室外機により検出された室外温度又は室内機により検出された室内温度と、運転条件設定手段により設定された運転可否条件を照合して空調機の運転可否を判定し、判定結果に基づくリモコンの操作の制限指令又は制限解除指令をリモコンに送信して省エネルギー制御を行う運転可否判定手段と、制限指令を受けているリモコンが操作されたことを検知するリモコン操作検知手段と、リモコン操作検知手段により操作が検知されたリモコンに対し、省エネルギー制御を緩和して空調機を運転させる制限解除指令を送信する省エネ緩和制御手段とを備え、リモコン操作検知手段がリモコンの運転／停止ボタンが操作されたことを検知した場合、又は全温度帯域における制限指令を受けているリモコンの室温調節ボタンが操作されたことを検知した場合に、省エネ緩和制御手段は省エネルギー制御を緩和して空調機を時限運転させる制限解除指令を送信するものである。
【００２２】
この発明に係る集中コントローラは、室外温度の制限値又は室内温度の制限値により空調機の運転可否条件を設定する運転条件設定手段と、室外機により検出された室外温度又は室内機により検出された室内温度と、運転条件設定手段により設定された運転可否条件を照合して空調機の運転可否を判定し、判定結果に基づくリモコンの操作の制限指令又は制限解除指令をリモコンに送信して省エネルギー制御を行う運転可否判定手段と、制限指令を受けているリモコンが操作されたことを検知するリモコン操作検知手段と、リモコン操作検知手段により操作が検知されたリモコンに対し、省エネルギー制御を緩和して空調機を運転させる制限解除指令を送信する省エネ緩和制御手段と、省エネルギー緩和制御を受けていない運転中の他の空調機に対して、省エネルギー制御を強化して運転させる指令を該当のリモコンに送信する省エネ強化制御手段とを備えたものである。
【００２３】
この発明に係る集中コントローラは、室外温度の制限値又は室内温度の制限値により空調機の運転可否条件を設定する運転条件設定手段と、室外機により検出された室外温度又は室内機により検出された室内温度と、運転条件設定手段により設定された運転可否条件を照合して空調機の運転可否を判定し、判定結果に基づくリモコンの操作の制限指令又は制限解除指令をリモコンに送信して省エネルギー制御を行う運転可否判定手段と、制限指令を受けているリモコンが操作されたことを検知するリモコン操作検知手段と、リモコン操作検知手段により操作が検知されたリモコンに対し、省エネルギー制御を緩和して空調機を運転させる制限解除指令を送信する省エネ緩和制御手段と、省エネルギー緩和制御を受けていない運転中の他の空調機に対して、省エネルギー制御を強化して運転させる指令を該当のリモコンに送信する省エネ強化制御手段とを備え、リモコン操作検知手段が全温度帯域における制限指令を受けているリモコンの室温調節ボタンが操作されたことを検知した場合に、省エネ強化制御手段は省エネルギー制御を強化して他の空調機を時限運転させる指令を送信するものである。
【００２６】
【発明の実施の形態】
以下、この発明の実施の一形態を説明する。
実施の形態１．
図１はこの発明の実施の形態１による空気調和システムの構成を示すブロック図である。図において、１は複数の空調機を集中制御する集中コントローラ、２ａ，２ｂは室外温度を検出する機能を有する空調機の室外機、３ａ〜３ｄは室内温度を検出する機能を有する空調機の室内機、４ａ〜４ｃは室内機３ａ〜３ｄに必要に応じて接続され空調機を運転するためのリモコン、７は集中コントローラ１、室外機２ａ，２ｂ、室内機３ａ〜３ｄ、リモコン４ａ〜４ｃを接続する伝送線である。
【００２７】
図１の例では、室内機３ａ，３ｂは会議室Ａに配置され、室内機３ｃは会議室Ｂに配置され、室内機３ｄはＯＡルームに配置されている。
【００２８】
図２は集中コントローラ１の内部構成を示すブロック図であり、図において、１１は集中コントローラ１の全体的な制御を行う中央処理手段、１１１は空調機の室外温度の制限値、又は空調機の室内温度の制限値により、空調機の運転可否条件を設定する運転条件設定手段、１１２は検出された室外温度又は室内温度と運転条件設定手段１１１により設定された運転可否条件とを照合し空調機の運転可否を判定する運転可否判定手段である。
【００２９】
また、図２において、１２は運転可否条件を設定するための情報等を入力する各種のボタンにより構成された操作設定手段、１３は入力された情報や空調機の運転状況を表示する表示手段、１４は中央処理手段１１、操作設定手段１２、表示手段１３間の情報の入出力を制御する入出力手段、１５は伝送線７に情報を出力すると共に伝送線７からの情報を入力する伝送手段である。
【００３０】
図３は室外機２の内部構成を示すブロック図であり、図において、２１は室外機２全体を制御する中央処理手段、２２は室外温度を検出する室外温度検出手段、２３は中央処理手段２１により制御される室外機制御部品、２４は中央処理手段２１、室外温度検出手段２２、室外機制御部品２３間の情報の入出力を制御する入出力手段、２５は伝送線７に情報を出力すると共に伝送線７からの情報を入力する伝送手段である。
【００３１】
図４は室内機３の内部構成を示すブロック図であり、図において、３１は室内機３全体を制御する中央処理手段、３２は室内温度を検出する室内温度検出手段、３３は中央処理手段３１により制御される室内機制御部品、３４は中央処理手段３１、室内温度検出手段３２、室内機制御部品３３間の情報の入出力を制御する入出力手段、３５は伝送線７に情報を出力すると共に伝送線７からの情報を入力する伝送手段である。
【００３２】
図５はリモコン４の内部構成を示すブロック図であり、図において、４１はリモコン４全体を制御する中央処理手段、４２は情報を入力する運転／停止ボタン、運転モードボタン、室温調節ボタン等により構成された操作設定手段、４３は入力された情報や空調機の運転状況を表示する表示手段、４４は中央処理手段４１、操作設定手段４２、表示手段４３間の情報の入出力を制御する入出力手段、４５は伝送線７に情報を出力すると共に伝送線７からの情報を入力する伝送手段である。
【００３３】
図６はリモコン４の外観を示す図であり、図に示すように、操作設定手段４２は、運転／停止ボタン、運転モードボタン、室温調節ボタン等により構成され、表示手段４３は空調機の現在の運転状態、設定状態の表示を行うと共に、集中コントローラ１による集中管理中で冷房又は暖房の運転可否の表示等を行う。
【００３４】
次に動作について説明する。
図７は集中コントローラ１の省エネルギー制御を説明する図である。運転モードに対応して、運転条件設定手段１１１が設定した運転可否条件と運転可否判定手段１１２の動作を示し、各運転モードにおいて、室外温度の制限値Ｘ℃、室内温度の制限値Ｙ℃、リモコン４による設定温度の制限値Ｚ℃は、任意の値に可変設定できるものとする。
【００３５】
冷房モードでの運転可否条件の条件１において、室外機２の室外温度検出手段２２により得られた室外温度が制限値Ｘ℃以上のときに、運転可否判定手段１１２はリモコン４の運転／停止ボタンの制限解除指令と、設定温度が制限値Ｚ℃以上の部分的温度帯域における室温調節ボタンの制限解除指令をリモコン４に送信する。これらの解除指令により、リモコン４は該当の空調機を冷房運転させることができる。
【００３６】
冷房モードでの運転可否条件の条件２において、室内機３の室内温度検出手段３２により得られた室内温度が制限値Ｙ℃以上のときに、運転可否判定手段１１２はリモコン４の運転／停止ボタンの制限解除指令と、設定温度が制限値Ｚ℃以上の部分的温度帯域における室温調節ボタンの制限解除指令をリモコン４に送信する。これらの解除指令により、リモコン４は該当の空調機を冷房運転させることができる。
【００３７】
この条件２は、室外機２の室外温度検出手段２２により得られた室外温度とは無関係で、室内機３の室内温度検出手段３２により得られた室内温度により運転可否を判定する。通常、朝一番等の空調制御の稼動前では、室外温度と室内温度は比例して推移するが、室内にＯＡ機器の設置や直射日光が当たり、常に日当たりの良い部屋では、それ以外の部屋に比べて室内温度が高くなる傾向があり、このとき室外温度に左右されず室内空調を行いたい場合があるが、この対応のための条件である。この条件２の制限値Ｚ℃の値は、条件１の制限値Ｚ℃と異なった温度としても良い。
【００３８】
冷房モードでの運転可否条件の条件３は、上記条件１又は上記条件２以外であり、室外機２の室外温度検出手段２２により得られた室外温度が制限値Ｘ℃未満のとき、又は室内機３の室内温度検出手段３２により得られた室内温度が制限値Ｙ℃未満のときに、運転可否判定手段１１２はリモコン４の運転／停止ボタンの制限指令と、全温度帯域における室温調節ボタンの制限指令をリモコン４に送信する。これらの指令により、リモコン４は該当の空調機を冷房運転させることができない。
【００３９】
暖房モードでの運転可否条件の条件４において、室外機２の室外温度検出手段２２により得られた室外温度が制限値Ｘ℃以下のときに、運転可否判定手段１１２はリモコン４の運転／停止ボタンの制限解除指令と、設定温度が制限値Ｚ℃以下の部分的温度帯域における室温調節ボタンの制限解除指令をリモコン４に送信する。これらの解除指令により、リモコン４は該当の空調機を暖房運転させることができる。この条件４の場合のＸ，Ｚの値は、冷房モードでの条件１の場合のＸ，Ｚの値とは異なる値である。
【００４０】
暖房モードでの運転可否条件の条件５において、室内機３の室内温度検出手段３２により得られた室内温度が制限値Ｙ℃以下のときに、運転可否判定手段１１２はリモコン４の運転／停止ボタンの制限解除指令と、設定温度が制限値Ｚ℃以下の部分的温度帯域における室温調節ボタンの制限解除指令をリモコン４に送信する。これらの解除指令により、リモコン４は該当の空調機を暖房運転させることができる。
【００４１】
この条件５は、室外機２の室外温度検出手段２２により得られた室外温度とは無関係で、室内機３の室内温度検出手段３２により得られた室内温度により運転可否を判定する。この条件５のＺ℃の値は、条件４のＺ℃と異なった設定温度としても良い。また、この条件５の場合のＹ，Ｚの値は、冷房モードでの条件２の場合のＹ，Ｚの値とは異なる値である。
【００４２】
暖房モードでの運転可否条件の条件６は、上記条件４又は上記条件５以外であり、室外機２の室外温度検出手段２２により得られた室外温度が制限値Ｘ℃を越えたとき、又は室内機３の室内温度検出手段３２により得られた室内温度が制限値Ｙ℃を越えたときに、運転可否判定手段１１２はリモコン４の運転／停止ボタンの制限指令と、全温度帯域における室温調節ボタンの制限指令をリモコン４に送信する。これらの指令により、リモコン４は該当の空調機を暖房運転させることができない。
【００４３】
冷房モードにおける条件１、条件２、暖房モードにおける条件４、条件５において、リモコン４に送信された運転／停止ボタンの制限解除指令と部分的温度帯域における室温調節ボタンの制限解除指令により、リモコン４の表示手段４３に該当の空調機の冷房運転又は暖房運転が可能であることが表示される。
【００４４】
また、冷房モードにおける条件３、暖房モードにおける条件６において、リモコン４に送信された運転／停止ボタンの制限指令と、全温度帯域における室温調節ボタンの制限指令により、リモコン４の表示手段４３に該当の空調機の冷房運転又は暖房運転が不可能であることが表示される。
【００４５】
運転モードが送風モード等の冷房モード及び暖房モード以外の場合には、運転可否条件は設定されず、使用者の要望に応じ空調機を運転できるものとする。
【００４６】
図８は集中コントローラ１の処理の流れを示すフローチャートである。ステップＳＴ１１において、操作設定手段１２により、図７の運転可否条件に示す室外温度の制限値Ｘ℃、室内温度の制限値Ｙ℃、設定温度の制限値Ｚ℃が入力され、入出力手段１４を介して運転条件設定手段１１１に入力され、運転条件設定手段１１１は、入力された室外温度の制限値Ｘ℃、室内温度の制限値Ｙ℃、設定温度の制限値Ｚ℃に基づいて、図７に示す運転可否条件の条件１から条件６を設定する。
【００４７】
ステップＳＴ１２において、室外機２の室外温度検出手段２２により検出された室外温度が入出力手段２４、中央処理手段２１、伝送手段２５、伝送線７を介して集中コントローラ１に定期的に送信され、室内機３の室内温度検出手段３２により検出された室内温度が、入出力手段３４、中央処理手段３１、伝送手段３５、伝送線７を介して集中コントローラ１に定期的に送信される。集中コントローラ１の運転可否判定手段１１２は、伝送手段１５を介して送信された室外温度、室内温度を監視する。
【００４８】
ステップＳＴ１３において、集中コントローラ１の運転可否判定手段１１２は、上記ステップＳＴ１２で監視している室外温度又は室内温度と、上記ステップＳＴ１１で運転条件設定手段１１１により設定された運転可否条件とを照合し、図７に示すように、それぞれ室外温度、室内温度を送信した該当の空調機の運転可否を判定する。
【００４９】
ステップＳＴ１４において、運転可否判定手段１１２は、ステップＳＴ１３の判定結果に基づき、それぞれ室外温度、室内温度を送信した該当の空調機に対応するリモコン４に、運転／停止ボタンの制限解除指令又は制限指令を送信し、室温調節ボタンの部分的温度帯域における制限解除指令又は全温度帯域における制限指令を送信する。
【００５０】
各リモコン４に送信された各ボタンの制限解除指令又は制限指令は、伝送手段４５を介して中央処理手段４１に入力され、中央処理手段４１は送信された各ボタンの制限解除指令又は制限指令に基づいて、空調機の運転可否を入出力手段４４を介して表示手段４３に表示させる。
【００５１】
この実施の形態１では、室外機２に室外温度検出手段２２、室内機３に室内温度検出手段３２を備えているが、図７の運転可否条件に示すように、室外機２又は室内機３に温度検出手段を備えておれば良い。
【００５２】
以上のように、この実施の形態１によれば、監視している室外温度又は室内温度に基づいて省エネルギー制御を実施することにより、空調が最低限必要となる環境では、空調機を動作させることが可能であり、省エネルギーを実現し使用者の快適性を満足させることができるという効果が得られる。
【００５３】
実施の形態２．
図９はこの発明の実施の形態２による集中コントローラ１の内部構成を示すブロック図であり、図において、１１３は時間を計測するタイマー、１１１ａは省エネルギー制御を行う時間帯、又は空調機の室内温度の制限値により、空調機の運転可否の条件を設定する運転条件設定手段、１１２ａはタイマー１１３により計測された時間又は室内機３により検出された室内温度と、運転条件設定手段１１１ａにより設定された運転可否条件とを照合し空調機の運転可否を判定する運転可否判定手段である。
【００５４】
この実施の形態２は、上記実施の形態１において、室外温度により運転可否を判定したものを、省エネルギー制御を行う時間帯に置き換えたものであり、この実施の形態２における室外機２は、実施の形態１の図３に示す室外温度検出手段２２を備えていないものである。
【００５５】
次に動作について説明する。
実施の形態１の図７に示す冷房モードにおける条件１及び暖房モードにおける条件４では、運転条件設定手段１１１が室外温度により運転可否条件を設定しているが、この実施の形態２では、運転条件設定手段１１１ａが省エネルギー制御を行う時間帯、例えば日中の比較的室外温度が高くなる時間帯により運転可否条件を設定する。
【００５６】
運転可否判定手段１１２ａは、タイマー１１３が計測した時間と設定された運転可否条件とを照合して運転可否を判定する。すなわち、運転可否判定手段１１２ａは、省エネルギー制御を行う時間帯でなければ、リモコン４の運転／停止ボタンの制限解除指令と、冷房モードでは設定温度が制限値Ｚ℃以上、暖房モードでは設定温度が制限値Ｚ℃以下の部分的温度帯域における室温調節ボタンの制限解除指令をリモコン４に送信する。これらの制限解除指令により、リモコン４は該当の空調機を冷房運転又は暖房運転させることができる。
【００５７】
また、運転可否判定手段１１２ａは、省エネルギー制御を行う時間帯であれば、実施の形態１の図７に示す冷房モードにおける条件３及び暖房モードにおける条件６と同様に、リモコン４の運転／停止ボタンの制限指令と、全温度帯域における室温調節ボタンの制限指令をリモコン４に送信する。これらの制限指令により、リモコン４は該当の空調機を冷房運転又は暖房運転させることができない。
【００５８】
この実施の形態２では、一日のうちの時間帯で運転可否条件を設定しているが、この時間帯の要素に季節的な期間の要素を加味するようにしても良い。
【００５９】
以上のように、この実施の形態２によれば、省エネルギー制御を行う時間帯、又は監視している室内温度に基づいて省エネルギー制御を実施することにより、空調が最低限必要となる環境では、空調機を動作させることが可能であり、省エネルギーを実現し使用者の快適性を満足させることができるという効果が得られる。
【００６０】
実施の形態３．
図１０はこの発明の実施の形態３による集中コントローラ１の内部構成を示すブロック図であり、図において、１１４は制限指令を受けているリモコン４の運転／停止ボタン又は室温調節ボタンが操作されたことを検知するリモコン操作検知手段、１１５はリモコン操作検知手段１１４がリモコン４の運転／停止ボタン又は室温調節ボタンが操作されたことを検知した場合に、省エネルギー緩和制御を行い、制限指令を解除する省エネ緩和制御手段であり、その他の構成は実施の形態１の図２に示す構成と同一である。また、この発明の実施の形態３による空気調和システムの構成を示すブロック図は、実施の形態１における図１と同一である。
【００６１】
次に動作について説明する。
図１１は集中コントローラ１の省エネルギー緩和制御の処理を示すフローチャートである。ステップＳＴ２１において、リモコン操作検知手段１１４は制限指令を受けているリモコン４の運転／停止ボタン又は室温調節ボタンが操作されたことを検知し、ステップＳＴ２２において、リモコン操作検知手段１１４は操作されたボタンが運転／停止ボタンであるか、又は室温調節ボタンであるかを確認する。
【００６２】
上記ステップＳＴ２２で、運転／停止ボタンである場合には、ステップＳＴ２３において、省エネ緩和制御手段１１５は該当のリモコン４に対し制限指令を解除し、リモコン４による設定温度が制限値Ｚ℃±Ｗ℃の範囲で、所定の時間だけの時限運転可能な制限解除指令をリモコン４に送信し、空調機を省エネルギー緩和制御で時限運転を開始させる。このとき、Ｗ℃は例えば２〜３℃で、冷房時はマイナス方向に、暖房時はプラス方向に設定温度の制限値Ｚ℃を緩和する。
【００６３】
ステップＳＴ２４において、省エネ緩和制御手段１１５は所定の時間だけの時限が終了したかを確認し、終了した場合には、ステップＳＴ２５において、省エネ緩和制御手段１１５は、時限運転をしている該当のリモコン４に制限指令を送信し時限運転を停止させる。
【００６４】
上記ステップＳＴ２２で、室温調節ボタンである場合には、ステップＳＴ２６において、省エネ緩和制御手段１１５は、室温調節ボタンに対する制限指令が、図７に示す条件３、条件６のように全温度帯域の制限指令か、条件１、条件２、条件４、条件５のように部分的温度帯域の制限指令であるかを確認する。
【００６５】
ステップＳＴ２６で、全温度帯域の制限指令の場合には、ステップＳＴ２７において、省エネ緩和制御手段１１５は該当のリモコン４に対し制限指令を解除し、リモコン４による設定温度が制限値Ｚ℃±Ｗ℃の範囲で、所定の時間だけの時限運転可能な制限解除指令をリモコン４に送信し、空調機を省エネルギー緩和制御で時限運転を開始させる。このとき、Ｗ℃は例えば２〜３℃で、冷房時はマイナス方向に、暖房時はプラス方向に設定温度の制限値Ｚ℃を緩和する。
【００６６】
ステップＳＴ２８において、省エネ緩和制御手段１１５は所定の時間だけの時限が終了したかを確認し、終了した場合には、ステップＳＴ２９において、省エネ緩和制御手段１１５は、時限運転をしている該当のリモコン４に制限指令を送信し時限運転を停止させる。
【００６７】
上記ステップＳＴ２６で、部分的温度帯域で運転制限指令を受けている場合には、ステップＳＴ３０において、省エネ緩和制御手段１１５は、設定温度が制限値Ｚ℃±Ｗ℃の範囲で運転可能な制限解除指令を、該当のリモコン４に送信し空調機を運転させる。このとき、Ｗ℃は例えば２〜３℃で、冷房時はマイナス方向に、暖房時はプラス方向に設定温度の制限値Ｚ℃を緩和する。この場合には、集中コントローラ１からは運転の時限を設定せずに、リモコン４により使用者が運転を停止するまで空調機を運転させる。
【００６８】
以上のように、この実施の形態３によれば、制限指令を受けているリモコン４の運転／停止ボタン又は室温調節ボタンの操作が行われた場合には、使用者の体感温度に合わせて省エネルギー緩和制御で空調機を運転させることにより、省エネルギーを実現し使用者の快適性を満足させることができるという効果が得られる。
【００６９】
実施の形態４．
図１２はこの発明の実施の形態４による集中コントローラ１の内部構成を示すブロック図であり、図において、１１６は省エネルギー緩和制御を受けている空調機以外の運転中の他の空調機に対して省エネルギー強化制御を行う省エネ強化制御手段であり、その他の構成は実施の形態３の図１０に示す構成と同一である。また、この発明の実施の形態４による空気調和システムの構成を示すブロック図は、実施の形態１における図１と同一である。
【００７０】
この実施の形態４は、例えば図１に示す会議室Ａ用の室外機２ａ、室内機３ａ，３ｂが省エネルギー緩和制御を受けている場合に、それ以外の会議室Ｂ用とＯＡルーム用の室外機２ｂ、室内機３ｃ、３ｄに対して省エネルギー強化制御を行い、空気調和システム全体の中で、省エネルギーを実現し使用者の快適性を満足させるものである。
【００７１】
次に動作について説明する。
図１３は集中コントローラ１の省エネルギー緩和制御と省エネルギー強化制御の処理を示すフローチャートである。図において、ステップＳＴ２６，ＳＴ２７，ＳＴ３０の処理は、実施の形態３の図１１の処理と同一である。
【００７２】
ステップＳＴ４１において、省エネ強化制御手段１１６は、省エネルギー緩和制御を受けていない運転中の他の空調機が存在するかを確認し、存在する場合にはステップＳＴ４２に進み、存在しない場合にはステップＳＴ４３に進む。
【００７３】
ステップＳＴ４２において、省エネ強化制御手段１１６は、運転中の他の空調機に対して省エネルギー強化制御を行う指令を送信する。すなわち、運転中の他の空調機の現在の設定温度に対して、±Ｗ℃の範囲で設定温度を省エネルギー強化となるように設定させ、省エネルギー強化制御で時限運転を開始させる。このとき、Ｗ℃は例えば２〜３℃で、冷房時はプラス方向に、暖房時はマイナス方向に現在の設定温度を変更させる。この場合、Ｗ℃はステップＳＴ２７の省エネルギー緩和制御で緩和した分だけ強化するようにしても良い。
【００７４】
ステップＳＴ４３において、省エネ緩和制御手段１１５及び省エネ強化制御手段１１６は所定の時間だけの時限が終了したかを確認し、終了した場合には、ステップＳＴ４５において、省エネ緩和制御手段１１５は省エネ緩和制御で時限運転をしている該当のリモコン４に制限指令を送信し時限運転を停止させる。また、省エネ強化制御手段１１６は省エネルギー強化制御で時限運転をしている他の空調機の該当のリモコン４に対して、元の設定温度に戻して運転するよう指令を送信する。
【００７５】
ステップＳＴ３０で、省エネルギー緩和制御で運転した後、ステップＳＴ４６において、省エネ強化制御手段１１６は、省エネルギー緩和制御を受けていない運転中の他の空調機が存在するかを確認し、存在する場合にはステップＳＴ４７に進み、存在しない場合には処理を終了する。
【００７６】
ステップＳＴ４７において、省エネ強化制御手段１１６は、運転中の他の空調機に対して省エネルギー強化制御を行う指令を送信する。すなわち、運転中の他の空調機の現在の設定温度に対して、±Ｗ℃の範囲で設定温度を省エネルギー強化となるように省エネルギー強化制御で運転させる。このとき、Ｗ℃は例えば２〜３℃で、冷房時はプラス方向に、暖房時はマイナス方向に現在の設定温度を変更させる。この場合、Ｗ℃はステップＳＴ３０の省エネルギー緩和制御で緩和した分だけ強化するようにしても良い。
【００７７】
ステップＳＴ３０における省エネルギー緩和制御による運転と、ステップＳＴ４７における省エネルギー強化制御による運転の場合には、集中コントローラ１からは運転の時限を設定せずに、リモコン４によりそれぞれの使用者が運転を停止するまで空調機を運転させる。
【００７８】
以上のように、この実施の形態４によれば、省エネルギー緩和制御で空調機を運転中に、省エネルギー緩和制御を受けていない運転中の他の空調機に対して、省エネルギー強化制御で空調機を運転させることにより、空気調和システム全体の中で、システム全体の使用エネルギーの増加をせずに、より一層の省エネルギーを実現し使用者の快適性を満足させることができるという効果が得られる。
【００７９】
実施の形態５．
図１４はこの発明の実施の形態５による空気調和システムの構成を示すブロック図である。図において、５は室外機２及び室内機３より構成される空調機の電力量を計測する電力量計、８は室外機２、室内機３と電力量計５を接続する電源線、９は集中コントローラ１と電力量計５を接続する信号線であり、その他の構成は実施の形態１の図１と同一である。
【００８０】
図１５は集中コントローラ１の内部構成を示すブロック図であり、入出力手段１４に電力量計５からの信号線９が接続されている以外は、実施の形態３の図１０と同一である。
【００８１】
次に動作について説明する。
図１５に示す操作設定手段１２により、この空気調和システム全体で設定された空調機の最大消費電力量が入力され、入出力手段１４を介して省エネ緩和制御手段１１５に入力される。また、図１４に示す電力量計５により計測された空調機の電力量は、信号線９を介して集中コントローラ１に送信され、図１５に示す入出力手段１４を介して省エネ緩和制御手段１１５に入力される。
【００８２】
上記実施の形態３の図１１のステップＳＴ２３，ＳＴ２７，ＳＴ３０で、省エネ緩和制御手段１１５が、省エネルギー緩和制御で空調機を運転させる際に、電力量計５により計測された空調機の電力量が最大消費電力量を超えていない場合に、該当のリモコン４に制限解除指令を送信して該当の空調機に対して省エネルギー緩和制御を行い、電力量計５により計測された空調機の電力量が最大消費電力量を超えている場合には、省エネルギー緩和制御を行わず、該当のリモコン４の制限指令を解除しない。
【００８３】
以上のように、この実施の形態５によれば、電力量計５により計測された空調機の電力量を考慮して省エネルギー緩和制御を行うことにより、空気調和システム全体としての電力量を考慮した省エネルギーを実現し、使用者の快適性を満足させることができるという効果が得られる。
【００８４】
実施の形態６．
図１６はこの発明の実施の形態６による空気調和システムの構成を示すブロック図である。図において、６は電力量計５により計測された空調機の電力量が予め設定された電力量を超えたか否かを判定し判定結果を送信するデマンド制御器であり、その他の構成は実施の形態５の図１４と同一である。また、集中コントローラ１の内部構成を示すブロック図は、実施の形態５の図１５と同一である。
【００８５】
次に動作について説明する。
図１６に示すデマンド制御器６は、電力量計５により計測された空調機の電力量が予め設定された電力量を超えたか否かを判定し、判定結果を信号線９を介して集中コントローラ１に送信する。デマンド制御器６からの判定結果は図１５に示す入出力手段１４を介して省エネ緩和制御手段１１５に入力される。
【００８６】
上記実施の形態３の図１１のステップＳＴ２３，ＳＴ２７，ＳＴ３０で、省エネ緩和制御手段１１５が、省エネルギー緩和制御で空調機を運転させる際に、デマンド制御器６からの判定結果で、電力量計５により計測された空調機の電力量が予め設定された電力量を超えていない場合に、該当のリモコン４に制限解除指令を送信して該当の空調機に対して省エネルギー緩和制御を行い、電力量計５により計測された空調機の電力量が予め設定された電力量を超えている場合には、省エネルギー緩和制御を行わず、該当のリモコン４の制限指令を解除しない。
【００８７】
以上のように、この実施の形態６によれば、電力量計５により計測された空調機の電力量を考慮して省エネルギー緩和制御を行うことにより、空気調和システム全体としての電力量を考慮した省エネルギーを実現し、使用者の快適性を満足させることができるという効果が得られる。
【００８８】
【発明の効果】
以上のように、この発明によれば、室外機が室外温度を検出し、集中コントローラが、室外温度の制限値により空調機の運転可否条件を設定し、室外機が検出した室外温度と設定した運転可否条件を照合して空調機の運転可否を判定し、判定結果に基づくリモコンの操作の制限指令又は制限解除指令をリモコンに送信して省エネルギー制御を行い、制限指令を受けているリモコンが操作された場合に、集中コントローラが省エネルギー制御を緩和して空調機を運転させる制限解除指令をリモコンに送信し、省エネルギー緩和制御を受けていない運転中の他の空調機に対して、集中コントローラが省エネルギー制御を強化して運転させる指令を該当のリモコンに送信することにより、空調が最低限必要となる環境では、空調機を動作させることが可能であり、空気調和システム全体の中で、より一層の省エネルギーを実現するとともに使用者の快適性を満足させることができるという効果がある。
【００８９】
この発明によれば、室内機が室内温度を検出し、集中コントローラが、室内温度の制限値により空調機の運転可否条件を設定し、室内機が検出した室内温度と設定した運転可否条件を照合して空調機の運転可否を判定し、判定結果に基づくリモコンの操作の制限指令又は制限解除指令をリモコンに送信して省エネルギー制御を行い、制限指令を受けているリモコンが操作された場合に、集中コントローラが省エネルギー制御を緩和して空調機を運転させる制限解除指令をリモコンに送信し、省エネルギー緩和制御を受けていない運転中の他の空調機に対して、集中コントローラが省エネルギー制御を強化して運転させる指令を該当のリモコンに送信することにより、空調が最低限必要となる環境では、空調機を動作させることが可能であり、空気調和システム全体の中で、より一層の省エネルギーを実現するとともに使用者の快適性を満足させることができるという効果がある。
【００９５】
この発明によれば、集中コントローラが、室外温度の制限値又は室内温度の制限値により空調機の運転可否条件を設定する運転条件設定手段と、室外機により検出された室外温度又は室内機により検出された室内温度と、運転条件設定手段により設定された運転可否条件を照合して空調機の運転可否を判定し、判定結果に基づくリモコンの操作の制限指令又は制限解除指令をリモコンに送信して省エネルギー制御を行う運転可否判定手段と、制限指令を受けているリモコンが操作されたことを検知するリモコン操作検知手段と、リモコン操作検知手段により操作が検知されたリモコンに対し、省エネルギー制御を緩和して空調機を運転させる制限解除指令を送信する省エネ緩和制御手段とを備え、リモコン操作検知手段がリモコンの運転／停止ボタンが操作されたことを検知した場合、又は全温度帯域における制限指令を受けているリモコンの室温調節ボタンが操作されたことを検知した場合に、省エネ緩和制御手段は省エネルギー制御を緩和して空調機を時限運転させる制限解除指令を送信することにより、空調が最低限必要となる環境では、空調機を動作させることが可能であり、省エネルギーを実現するとともに使用者の快適性を満足させることができるという効果がある。
【０１００】
この発明によれば、集中コントローラが、室外温度の制限値又は室内温度の制限値により空調機の運転可否条件を設定する運転条件設定手段と、室外機により検出された室外温度又は室内機により検出された室内温度と、運転条件設定手段により設定された運転可否条件を照合して空調機の運転可否を判定し、判定結果に基づくリモコンの操作の制限指令又は制限解除指令をリモコンに送信して省エネルギー制御を行う運転可否判定手段と、制限指令を受けているリモコンが操作されたことを検知するリモコン操作検知手段と、リモコン操作検知手段により操作が検知されたリモコンに対し、省エネルギー制御を緩和して空調機を運転させる制限解除指令を送信する省エネ緩和制御手段と、省エネルギー緩和制御を受けていない運転中の他の空調機に対して、省エネルギー制御を強化して運転させる指令を該当のリモコンに送信する省エネ強化制御手段とを備えたことにより、空調が最低限必要となる環境では、空調機を動作させることが可能であり、空気調和システム全体の中で、より一層の省エネルギーを実現するとともに使用者の快適性を満足させることができるという効果がある。
【０１０１】
この発明によれば、集中コントローラが、室外温度の制限値又は室内温度の制限値により空調機の運転可否条件を設定する運転条件設定手段と、室外機により検出された室外温度又は室内機により検出された室内温度と、運転条件設定手段により設定された運転可否条件を照合して空調機の運転可否を判定し、判定結果に基づくリモコンの操作の制限指令又は制限解除指令をリモコンに送信して省エネルギー制御を行う運転可否判定手段と、制限指令を受けているリモコンが操作されたことを検知するリモコン操作検知手段と、リモコン操作検知手段により操作が検知されたリモコンに対し、省エネルギー制御を緩和して空調機を運転させる制限解除指令を送信する省エネ緩和制御手段と、省エネルギー緩和制御を受けていない運転中の他の空調機に対して、省エネルギー制御を強化して運転させる指令を該当のリモコンに送信する省エネ強化制御手段とを備え、リモコン操作検知手段が全温度帯域における制限指令を受けているリモコンの室温調節ボタンが操作されたことを検知した場合に、省エネ強化制御手段は省エネルギー制御を強化して他の空調機を時限運転させる指令を送信することにより、空調が最低限必要となる環境では、空調機を動作させることが可能であり、空気調和システム全体の中で、より一層の省エネルギーを実現するとともに使用者の快適性を満足させることができるという効果がある。
【図面の簡単な説明】
【図１】  この発明の実施の形態１による空気調和システムの構成を示すブロック図である。
【図２】  この発明の実施の形態１による集中コントローラの内部構成を示すブロック図である。
【図３】  この発明の実施の形態１による空気調和システムにおける室外機の内部構成を示すブロック図である。
【図４】  この発明の実施の形態１による空気調和システムにおける室内機の内部構成を示すブロック図である。
【図５】  この発明の実施の形態１による空気調和システムにおけるリモコンの内部構成を示すブロック図である。
【図６】  この発明の実施の形態１による空気調和システムにおけるリモコンの外観を示す図である。
【図７】  この発明の実施の形態１による集中コントローラの省エネルギー制御を説明する図である。
【図８】  この発明の実施の形態１による集中コントローラの処理の流れを示すフローチャートである。
【図９】  この発明の実施の形態２による集中コントローラの内部構成を示すブロック図である。
【図１０】  この発明の実施の形態３による集中コントローラの内部構成を示すブロック図である。
【図１１】  この発明の実施の形態３による集中コントローラの省エネルギー緩和制御の処理を示すフローチャートである。
【図１２】  この発明の実施の形態４による集中コントローラの内部構成を示すブロック図である。
【図１３】  この発明の実施の形態４による集中コントローラの省エネルギー緩和制御と省エネルギー強化制御の処理を示すフローチャートである。
【図１４】  この発明の実施の形態５による空気調和システムの構成を示すブロック図である。
【図１５】  この発明の実施の形態５による集中コントローラの内部構成を示すブロック図である。
【図１６】  この発明の実施の形態６による空気調和システムの構成を示すブロック図である。
【図１７】  従来の空気調和システムの構成を示すブロック図である。
【図１８】  従来の空気調和システムにおけるリモコンの外観を示す図である。
【符号の説明】
１  集中コントローラ、２ａ，２ｂ  室外機、３ａ〜３ｄ  室内機、４ａ〜４ｃ  リモコン、５  電力量計、６  デマンド制御器、７  伝送線、８  電源線、９  信号線、１１  中央処理手段、１２  操作設定手段、１３  表示手段、１４入出力手段、１５  伝送手段、２１  中央処理手段、２２  室外温度検出手段、２３  室外機制御部品、２４  入出力手段、２５  伝送手段、３１  中央処理手段、３２  室内温度検出手段、３３  室内機制御部品、３４  入出力手段、３５  伝送手段、４１  中央処理手段、４２  操作設定手段、４３  表示手段、４４  入出力手段、４５  伝送手段、１１１，１１１ａ  運転条件設定手段、１１２，１１２ａ  運転可否判定手段、１１３  タイマー、１１４  リモコン操作検知手段、１１５  省エネ緩和制御手段、１１６  省エネ強化制御手段。
【図１】
0004141713.tif 000002
【図２】
0004141713.tif 000003
【図３】
0004141713.tif 000004
【図４】
0004141713.tif 000005
【図５】
0004141713.tif 000006
【図６】
0004141713.tif 000007
【図７】
0004141713.tif 000008
【図８】
0004141713.tif 000009
【図９】
0004141713.tif 000010
【図１０】
0004141713.tif 000011
【図１１】
0004141713.tif 000012
【図１２】
0004141713.tif 000013
【図１３】
0004141713.tif 000014
【図１４】
0004141713.tif 000015
【図１５】
0004141713.tif 000016
【図１６】
0004141713.tif 000017
【図１７】
0004141713.tif 000018
【図１８】
0004141713.tif 000019